(57)【要約】【課題】開封時の指部の圧痛が無く、容易に開封しうるピルファープルーフバンド付きオーバーキャップを提供する。【解決手段】ピルファープルーフバンドは、破断を容易にする引き剥がし開始部と前記引き剥がし開始部に延設されたツマミとを付設し、前記ツマミは、ピルファープルーフバンドの外周に形成された複数の凸部と連設してピルファープルーフバンドに固定されることを特徴とするピルファープルーフバンド付きオーバーキャップである。【選択図】図３
2009241939.tif 000002
【特許請求の範囲】
【請求項１】
オーバーキャップ本体と、前記オーバーキャップ本体の下端に肉薄部を介して連設されるピルファープルーフバンドとからなり、
前記ピルファープルーフバンドは、破断を容易にする引き剥がし開始部と前記引き剥がし開始部に延設されたツマミとを付設し、
前記ツマミは、前記ピルファープルーフバンドの外周に形成された複数の凸部と連設してピルファープルーフバンドに固定されることを特徴とする、ピルファープルーフバンド付きオーバーキャップ。
【請求項２】
前記ツマミの開放端部がＲ状の突起を有することを特徴とする、請求項１記載のピルファープルーフバンド付きオーバーキャップ。
【請求項３】
前記複数の凸部は、前記オーバーキャップ本体とピルファープルーフバンドとを連設する肉薄部と同位置に形成されることを特徴とする、請求項１または２記載のピルファープルーフバンド付きオーバーキャップ。
【請求項４】
前記ピルファープルーフバンドは、オーバーキャップ本体の下端の肉薄部から漸増する肉厚部と下端に形成される缶容器接触部とを有し、前記缶容器接触部は、ピルファープルーフバンドの高さの１／３〜２／３であることを有することを特徴とする、請求項１〜３のいずれかに記載のピルファープルーフバンド付きオーバーキャップ。
【請求項５】
請求項１〜４のいずれかに記載のピルファープルーフバンド付きオーバーキャップが装着されたオーバーキャップ付き缶容器。
【請求項６】
前記容器は、前記ピルファープルーフバンドの前記缶容器接触部の下端に、凸部が形成されることを特徴とする、請求項５記載のオーバーキャップ付き缶容器。
【請求項７】
前記容器は、前記ピルファープルーフバンドの前記缶容器接触部の下端および前記肉厚部の上端に、それぞれ凸部が形成されることを特徴とする、請求項５記載のオーバーキャップ付き缶容器。
【発明の詳細な説明】
【技術分野】
【０００１】
本発明は、粉ミルク等の缶容器に装着するオーバーキャップであり、不正開封を容易に検知できるピルファープルーフバンドが付設され、かつ容易にピルファープルーフバンドを除去できるピルファープルーフバンド付きオーバーキャップおよび該オーバーキャップを装着したオーバーキャップ付き缶容器に関する。
【背景技術】
【０００２】
従来、粉ミルク等の比較的口径の大きい缶には、開缶後の包装内容物への湿気・臭い等の浸入、付着等を防止するためにいわゆるオーバーキャップが併用される。また、流通段階の不正開封を防止するため、ピルファープルーフバンドが付設されるオーバーキャップも多用されている。ピルファープルーフバンドの有無により商品の開封の有無を判断する不正開封防止の効果を奏するものである。
【０００３】
このようなピルファープルーフバンド付きオーバーキャップとして、盤状の蓋本体と、前記蓋本体の縁部から下方に連設され、内部に筒状缶容器のフランジ部の外形に沿って係合される溝部を備えるスカート部と、前記スカート部の下端に連設されたピルファープルーフバンドと、該ピルファープルーフバンドの下端に連設された、周方向に並ぶ複数の折り返し羽根を備え、前記スカート部とピルファープルーフバンドの間には引き裂き可能な薄肉部が形成され、ピルファープルーフバンドにはピルファープルーフバンド把持用ツマミが設けられていることを特徴とするオーバーキャップがある(特許文献１)。折り返し羽根をピルファープルーフバンドの内側に折り曲げた状態でオーバーキャップを包装内容物の入った筒状缶に嵌合させることで、従来のようにピルファープルーフバンドの下端に指先を引っかけてオーバーキャップを円筒状缶から取り外すことができないピルファープルーフ性を確保できる、という。
【０００４】
また、容器天面と略同一形状の蓋本体と、該蓋本体の縁部の全周にわたって下方に延出し、前記突部に掛け止める掛止部を内側に有する第１スカート部とを備えるオーバーキャップであって、前記第１スカート部に連続して下方に延設されるとともに、前記容器の側部に向かって内傾して設けられる連結部と、該連結部に連続して下方に延設されるとともに、前記容器の側部に沿って設けられる第２スカート部とを備えることを特徴とする、オーバーキャップもある(特許文献２)。該構成によれば、連結部で容器の側部に近接し、それに連続した第２スカート部が容器の側部に沿って配設されるため、未開封時に容器に密着して外しにくいオーバーキャップを提供できるという。特許文献２記載のオーバーキャップでは、前記第１スカート部と第２スカート部との連設部がピルファープルーフバンドとなっており、引き剥がし開始部に延設してツマミが連設されている。本願明細書の図１１のオーバーキャップの平面図に示すように、特許文献２記載のオーバーキャップには、ピルファープルーフバンド（１０９）の引き剥がし開始部（１１２）が薄肉部で形成され、引き剥がし開始部（１１２）に隣接してツマミ（１１１）がピルファープルーフバンド（１０９）と一体に設けられている態様が示されている。ピルファープルーフバンド付きオーバーキャップは、未開封時には缶容器に安定して装着され、ピルファープルーフバンドを除去することで、開封の事実を知らせるものであるから、ピルファープルーフバンドを除去する際には、これを容易に除去できる必要がある。このため、ツマミ（１１１）のピルファープルーフバンド（１０９）側には６〜７個のリブが形成され、ツマミ（１１１）の把持を容易にしている。なお、引き剥がし開始部（１１２）に隣接して形成されるツマミ（１１１）は、前記複数のリブを形成する凸部を連設部（１１１Ａ）としてピルファープルーフバンド（１０９）の円周に沿って本体に固定される。ツマミ（１１１）が複数の連設部（１１１Ａ）を介してピルファープルーフバンド（１０９）の円周に沿って本体に固定されている態様を図１２に示す。ツマミ（１１１）の先端（１１１Ｃ）をめくるようにしてピルファープルーフバンド（１０９）から引き離すと、連設部（１１１Ａ）が破断されるとともに引き剥がし開始部（１１２）が破断され、ピルファープルーフバンド（１０９）が除去される。
【特許文献１】特開２００４−１６１３２５号公報
【特許文献２】特開２００６−２８２１９９号公報
【発明の開示】
【発明が解決しようとする課題】
【０００５】
図１２に示すように、ツマミ（１１１）に形成される凸部は、ツマミ（１１１）側を裾野としてピルファープルーフバンド（１０９）に向かって頂部を形成する凸部であり、この先端がピルファープルーフバンド（１０９）と連設して連設部（１１１Ａ）を形成する。ツマミ（１１１）を引張って連設部（１１１Ａ）を破断すると、連設部（１１１Ａ）が順次破断され、前記破断部を頂点とする凸部からなるリブが形成される。このような凸部は、ツマミのすべり防止には好適であるが、更にツマミ（１１１）を引っ張ってピルファープルーフバンド（１０９）を除去する際には、この凸部を指で押圧する必要があり、押圧する指に圧痛を感じる場合がある。したがって、開封時に圧痛がない、ツマミの開発が望まれる。
【０００６】
また、ツマミ（１１１）側を裾野とする凸部が形成され、この凸部の先端がピルファープルーフバンド（１０９）に接触して連設部（１１１Ａ）を形成する場合、ツマミとピルファープルーフバンドとの連設部（１１１Ａ）の破断を容易にするために、連設部は、ツマミ（１１１）の上端側でのみピルファープルーフバンド（１０９）と接触する構成となる。すなわち、図１３に示すように、ツマミ（１１１）の下端から上端に向かって肉厚部が形成され、この肉厚部が連設部（１１１Ａ）となってツマミ（１１１）の上端部でピルファープルーフバンド（１０９）に固定される。このため、肉厚の連設部（１１１Ａ）を破断しうる強い引っ張り力がなければツマミ（１１１）を離脱することができない。このため、ツマミを引っ張って容易に開封できるピルファープルーフバンドの開発が望まれる。
【０００７】
一方、ツマミは、ピルファープルーフバンド（１０９）を除去するために付設されたものであり、把持が容易でないとこのような引張りを効率的に行うことができない。したがって、引っ張り時に把持が容易なツマミの開発が望まれる。
【０００８】
また、ピルファープルーフバンドは、本来、不正開封を検知するものであるから、ピルファープルーフバンドを切除することなくオーバーキャップを缶容器から外し、再度オーバーキャップを元に戻すことができると、外観からは、オーバーキャップが一旦取り外されたことがわからず、不正開封を検知することができない。したがって、缶容器との固定安定性に優れるピルファープルーフバンド付きオーバーキャップ、およびオーバーキャップ付き缶容器の開発が望まれる。
【０００９】
上記現状に鑑み、本発明は、不正開封を効率的に予防しうるピルファープルーフバンドが付設されたオーバーキャップを提供することを目的とする。
また、本発明は、開封時にツマミを介して容易にピルファープルーフバンドを除去しうるオーバーキャップを提供することを目的とする。
【００１０】
また、本発明は、上記オーバーキャップが装着されたオーバーキャップ付き缶容器を提供することを目的とする。
【課題を解決するための手段】
【００１１】
本発明者は、ピルファープルーフバンドに付設されるツマミの構造を詳細に検討した結果、ピルファープルーフバンドの外周に複数の凸部を形成し、該凸部の頂点をツマミとの連設部とすれば、開封前においてツマミをピルファープルーフバンドに固定することができ、かつツマミとピルファープルーフバンドとの連設部が破断した際に発生するツマミ側の凸部の形成を回避でき、よって開封時の指部の押圧による圧痛を抑制できること、前記ツマミの端部にＲ状の突起を形成すればツマミを把持した際のすべりを防止することができ、かつ端部の丸みによって触りが柔らかくなること、前記凸部の連設部を、オーバーキャップ本体とピルファープルーフバンドとを連設する肉薄部と同位置に形成すれば、ピルファープルーフバンドの分離方向と同一であるためオーバーキャップ本体から容易にピルファープルーフバンドを除去できること、このようなピルファープルーフバンド付きオーバーキャップを装着する缶容器の形状を特定することで、缶容器とピルファープルーフバンド付きオーバーキャップとの固定安定性に優れるオーバーキャップ付き缶容器となることを見出し、本発明を完成させた。
【００１２】
すなわち、本発明は、オーバーキャップ本体と、前記オーバーキャップ本体の下端に肉薄部を介して連設されるピルファープルーフバンドとからなり、
前記ピルファープルーフバンドは、破断を容易にする引き剥がし開始部と前記引き剥がし開始部に延設されたツマミとを付設し、
前記ツマミは、前記ピルファープルーフバンドの外周に形成された複数の凸部と連設してピルファープルーフバンドに固定されることを特徴とする、ピルファープルーフバンド付きオーバーキャップを提供するものである。
【００１３】
また、本発明は、上記ピルファープルーフバンド付きオーバーキャップが装着されたオーバーキャップ付き缶容器を提供するものである。
【発明の効果】
【００１４】
本発明のピルファープルーフバンド付きオーバーキャップは、ピルファープルーフバンドに付設されるツマミが、ピルファープルーフバンドの外周に形成された複数の凸部と連設してピルファープルーフバンドに固定されるため、ツマミを長尺の板状に成形することができる。このため、従来のツマミの内側にリブが形成される場合に生じる開封時の指部の圧痛を防止することができる。
【００１５】
本発明では、ツマミの開放端部にＲ状の突起が形成されるため、ツマミを安定して把持することができる。
また、本発明のオーバーキャップ付き缶容器は、ピルファープルーフバンドと缶容器との密着性に優れ、不正開封防止効果に優れる。
【発明を実施するための最良の形態】
【００１６】
本発明の第一は、オーバーキャップ本体と、前記オーバーキャップ本体の下端に肉薄部を介して連設されるピルファープルーフバンドとからなり、
前記ピルファープルーフバンドは、破断を容易にする引き剥がし開始部と前記引き剥がし開始部に延設されたツマミとを付設し、
前記ツマミは、前記ピルファープルーフバンドの外周に形成された複数の凸部と連設してピルファープルーフバンドに固定されることを特徴とする、ピルファープルーフバンド付きオーバーキャップである。以下、詳細に説明する。
【００１７】
本発明のピルファープルーフバンド付きオーバーキャップの好適な態様の一例を図１に示す。図１（ａ）は、ピルファープルーフバンド付きオーバーキャップの平面図であり、図１（ｂ）は部分側面断面図、図１（ｃ）は底面図である。図１（ａ）に示すように、ピルファープルーフバンド付きオーバーキャップは、平面視円形のオーバーキャップ本体（２）を有する。また、図１（ｂ）に示すように、オーバーキャップ本体（２）とピルファープルーフバンド（３）とは、オーバーキャップ本体（２）の下端に形成した肉薄部（５）を介して連設され一体に成形される。また、図１(ｃ）に示すように、ピルファープルーフバンド（３）の外周に沿うようにツマミ（４）が固定される。該ツマミ（４）は、ピルファープルーフバンド（３）の破断を容易にする引き剥がし開始部（３ｃ）に延設して形成される。オーバーキャップ本体（２）の初期開封時、前記ツマミ（４）をつまんで円周方向へと引くと前記引き剥がし開始部（３ｃ）が破断されるとともに円周方向に沿って肉薄部（５）を破断しつつピルファープルーフバンド（３）を切除することができる。
【００１８】
図２に、ピルファープルーフバンド付きオーバーキャップの底面図であって、ツマミ（４）の部分拡大図を示す。ピルファープルーフバンド（３）には、薄肉で構成される引き剥がし開始部（３ｃ）が形成され、ツマミ（４）の端部が該開始部（３ｃ）に延設される。ツマミ（４）の形状には制限はないが、少なくとも開封時に指部が接触する部分に凹凸がない長尺の板状であれば、開封時の圧痛を除去することができる。
【００１９】
このツマミ（４）は、ピルファープルーフバンド（３）の外周に沿って形成された複数の凸部（４ａ）によってピルファープルーフバンド（３）に固定される。なお、本発明において、「ピルファープルーフバンドの外周に形成された凸部」とは、ピルファープルーフバンドを裾野としてツマミに向かって頂部を形成する凸部を意味する。「凸部と連設」とは、例えば凸部の頂点でツマミ（４）と連設するなど、ピルファープルーフバンド（３）にツマミ（４）を固定しうる接続部の形成を意味する。前記凸部（４ａ）は、ツマミ（４）の全長に亘って形成される必要はなく、例えば図２に示すように、ツマミ（４）の両端部を除く中央部に２〜５個の凸部（４ａ）を形成してピルファープルーフバンド（３）に固定する態様のほか、ツマミ（４）の開放端部の近傍に２〜３個の凸部（４ａ）を形成してピルファープルーフバンド（３）に固定する態様などであってもよい。
【００２０】
本発明では、前記ツマミ（４）の開放端部（４ｂ）は、角部を有する切り落としであってもよいが、図２に示すように、Ｒ状の突起（４ｂ）を有することが好ましい。Ｒ状に成形することで角部をなくし、開封時の指部の接触感を向上させることができる。また、Ｒ状の突起（４ｂ）によって開封時の指部によるツマミ（４）の把持を安定させることができる。なお、本発明は、ツマミ（４）がピルファープルーフバンド（３）の外周に形成された複数の凸部（４ａ）と連設してピルファープルーフバンド（３）に固定される構成に特徴があり、ツマミ（４）の端部が引き剥がし開始部（３ｃ）の近傍からピルファープルーフバンド（３）から延設される構成は、従前と同様の態様を適用することができる。
【００２１】
図３に、本発明のピルファープルーフバンド付きオーバーキャップの部分断面図を示す。図３に示すように、前記凸部（４ａ）は、ツマミ（４）の上端部に形成され、かつオーバーキャップ本体（２）とピルファープルーフバンド（３）とを連設する肉薄部（５）と同位置であることが好ましい。肉薄部（５）と凸部（４ａ）とが同位置で接触することでオーバーキャップ本体（２）とピルファープルーフバンド（３）とを確実に連設することができ、かつ剥離時には容易にツマミ（４）を剥離し、かつオーバーキャップ本体（２）とピルファープルーフバンド（３）との分離を容易に行えるからである。
【００２２】
また、ピルファープルーフバンド（３）は、オーバーキャップ本体（２）の下端の肉薄部（５）から漸増する肉厚部（３ａ）とその下端に形成される缶容器接触部(３ｂ)とを有し、前記缶容器接触部（３ｂ）の高さは、ピルファープルーフバンド（３）の高さの１／３〜２／３であることが好ましい。この範囲でピルファープルーフバンド（３）と缶容器とが接触すると、缶容器に装着したピルファープルーフバンド付きオーバーキャップの固定安定性が向上するからである。なお、図３において、一点波線は、缶容器の位置を示す。
【００２３】
なお、図４に薄肉で構成される引き剥がし開始部（３ｃ）を含むピルファープルーフバンド付きオーバーキャップの縦断面図を示す。ピルファープルーフバンド（３）の内側の肉厚を均一厚さに形成して引き剥がし開始部（３ｃ）を構成することができる。なお、引き剥がし開始部（３ｃ）の厚さは、缶容器にピルファープルーフバンド付きオーバーキャップを装着する際に、ピルファープルーフバンド（３）が環状に維持できる程度の強度が確保できればよい。
【００２４】
本発明のピルファープルーフバンド付きオーバーキャップは、ピルファープルーフバンドに付設されたツマミが、ピルファープルーフバンドの外周に形成された複数の凸部と連設してピルファープルーフバンドに固定される点に特徴があり、したがって、ピルファープルーフバンドやオーバーキャップの形状に制限はない。このため、例えば、特開２００４−１６１３２５号公報に記載されるように、ピルファープルーフバンドの下端に連設された周方向に並ぶ複数の折り返し羽根を備えるものや、特開２００６−２８２１９９号公報に記載されるように、ピルファープルーフバンドの下端に延設されるスカート部を有するものなどに上記した態様でツマミ（４）をピルファープルーフバンド（３）に固定することで、本発明のピルファープルーフバンド付きオーバーキャップとすることができる。
【００２５】
更に、本発明では、ピルファープルーフバンド付きオーバーキャップを装着する缶容器にも限定はない。なお、本明細書において「缶容器」とは、内容物が収納されている状態の缶を意味しており、このような内容物は飲食品が好ましく、特に粉ミルク等の粉乳製品であることが推奨される。かかる内容物入り缶容器においては、缶容器の形状とピルファープルーフバンド付きオーバーキャップとの形状とを適合させることでより固定安定性に優れるオーバーキャップ付き缶容器とすることができる。以下、便宜のため、所定形状の缶容器とこの缶容器に装着するピルファープルーフバンド付きオーバーキャップを例示して説明する。
【００２６】
本発明のピルファープルーフバンド付きオーバーキャップを装着しうる缶容器（１）は、図５に示すように、金属製の円筒部材からなる胴部（１２）と、少なくとも該胴部（１２）の上端に巻締部（１１）によって固定された天面（１３）とからなる。天面（１３）は金属で構成される場合に限定されず、たとえばプラスチックと金属箔、金属または金属酸化物の蒸着膜、ポリ塩化ビニリデンフィルム、ポリアクリロニトリル樹脂、エチレン−酸化ビニル共重合体等のガスバリア性フィルムその他の合成樹脂フィルムまたは防湿紙などからなる中央部と、その外周に形成された金属部とからなり、この金属部が前記巻締部（１１）で固設される態様であってもよい。天面（１３）の少なくとも一部を除去することで、内容物を取り出すための開口部が形成される。天面を覆うようにオーバーキャップを装着することで、開口部が外部と直接接触することを防止することができる。
【００２７】
前記缶容器（１）の前記胴部（１２）上方部分には、該胴部（１２）の外周に沿って突出する凸部（７）が前記胴部（１２）の一周にわたって形成されていることが好ましい。このような缶容器（１）に本発明のピルファープルーフバンド付きオーバーキャップを装着した部分断面図を図６に示す。この凸部（７）は、断面視で略半円弧形状の膨らみからなり、図６に示すように、ピルファープルーフバンドの下端が当接し、ピルファープルーフバンド（３）の下端からの指先によるアクセスを防止することができ、前記ピルファープルーフバンド付きオーバーキャップが上方へと移動して缶容器（１）から離脱することを阻止することができる。
【００２８】
また、缶容器（１）としては、さらに前記凸部（７）の上部に凸部（７）と平行して凸部（７’）が前記胴部（１２）の一周にわたって形成されていてもよい。このような缶容器（１）に本発明のピルファープルーフバンド付きオーバーキャップを装着した部分断面図を図７に示す。図７に示すように、前記缶容器（１）に装着した前記ピルファープルーフバンド（３）の下端部は、前記缶容器（１）に形成した凸部（７）と接触し、かつピルファープルーフバンド（３）の缶容器接触部（３ｂ）の上端が凸部（７’）と当接するため、ピルファープルーフバンド（３）を缶容器（１）に安定に固定する効果を奏する。すなわち、ピルファープルーフバンド（３）の缶容器接触部（３ｂ）を缶容器（１）に形成した上下の凸部（７），（７’）で挟み込むことにより、ピルファープルーフバンド（３）の下端へと指先が掛かることを防止するとともに、たとえオーバーキャップ（２）を上方へ押し上げても、ピルファープルーフバンド（３）と凸部（７’）が当接して、ピルファープルーフバンド付きオーバーキャップの上方向への移動を阻止することができる。なお、図８に本発明のピルファープルーフバンド付きオーバーキャップを缶容器（１）に装着した斜視部分断面図を示す。オーバーキャップ本体（２）の下端に連設されたピルファープルーフバンド（３）の、ツマミ（４）を円周方向に引くことにより、引き剥がし開始部（３ｃ）を起点に円周方向へとピルファープルーフバンド（３）が切除されて、図９に示すように、初めてオーバーキャップ本体（２）を取り外すことができる。このように、ピルファープルーフバンド（３）を切除した後において、初めてオーバーキャップ本体（２）を取り外すことが可能となるため、商品購入前にオーバーキャップ付き缶容器の不正開封を防止することができる。
【００２９】
なお、前記したように、オーバーキャップ本体（２）の形状に限定はないが、缶容器（１）との関連を考慮すれば、例えば、図１０に示すように円形状の天面（２ａ）と、該天面（２ａ）の外周縁より下方へと側面（２ｂ）を有し、前記側面（２ｂ）の内側には、凹状のくぼみからなる掛止部（９）が形成されていてもよい。前記したように、缶容器（１）の上縁に形成された巻締部（１１）を、オーバーキャップ本体（２）の前記掛止部（９）へ掛止することにより、オーバーキャップ本体（２）を缶容器（１）に着脱自在に固定することができる。
【００３０】
前記ピルファープルーフバンド付きオーバーキャップは、低密度ポリエチレン、線状低密度ポリエチレン、中密度ポリエチレン、高密度ポリエチレン、ポリプロピレン等のオレフィン樹脂を射出成形して形成することができる。
【００３１】
また、前記缶容器（１）としては、ストレート缶の胴部の上端に巻締部（１１）によって固定された金属製の天面（１３）を有する３ピースの金属缶のみならず、その用途に応じて適宜選択することができる。例えば、粉ミルクを収納した缶容器であれば、前記天面（１３）の中央部に丸型の環状縁部を有する紙またはプラスチックと金属箔、金属または金属酸化物の蒸着膜、ポリ塩化ビニリデンフィルム、ポリアクリロニトリル樹脂、エチレン−酸化ビニル共重合体等のガスバリア材料の複合材料からなる形成してもよい。
【００３２】
本発明のオーバーキャップ付き缶容器の一例としては、粉ミルク等を収納した缶が好適である。
【図面の簡単な説明】
【００３３】
【図１】本発明のピルファープルーフバンド付きオーバーキャップの一例を示す図である。図１（ａ）は、その平面図であり、図１（ｂ）は側面図、図１（ｃ）は底面図である。
【図２】本発明のピルファープルーフバンド付きオーバーキャップの底面図であって、ツマミ（４）の部分拡大図である。
【図３】本発明のピルファープルーフバンド付きオーバーキャップの部分断面図である。
【図４】薄肉で構成される引き剥がし開始部（３ｃ）を含むピルファープルーフバンド付きオーバーキャップの縦断面図である。
【図５】本発明のピルファープルーフバンド付きオーバーキャップを装着しうる缶容器を説明する図である。
【図６】缶容器に本発明のピルファープルーフバンド付きオーバーキャップを装着した部分断面図である。
【図７】缶容器に本発明のピルファープルーフバンド付きオーバーキャップを装着した他の態様の部分断面図である。
【図８】本発明のピルファープルーフバンド付きオーバーキャップを缶容器に装着した斜視部分断面図である。
【図９】ピルファープルーフバンドを除去した後の缶容器とオーバーキャップとを説明する図である。
【図１０】本発明のピルファープルーフバンド付きオーバーキャップの横断面図であり、オーバーキャップ本体の内部構造を説明する図である。
【図１１】特許文献２記載のオーバーキャップのツマミの形状を説明する図である。
【図１２】従来のピルファープルーフバンドに付設されるツマミが複数の連設部を介してピルファープルーフバンドに固定されている態様を説明する図である。
【図１３】従来のピルファープルーフバンドに付設されるツマミとピルファープルーフバンドとの連設部を説明する図である。
【符号の説明】
【００３４】
１・・・缶容器、
２・・・オーバーキャップ（オーバーキャップ本体）、
２ａ・・・オーバーキャップ天面（天面）、
２ｂ・・・オーバーキャップ側壁、
３・・・ピルファープルーフバンド、
４・・・ツマミ、
５・・・肉薄部、
７・・・凸部、
７’ ・・・凸部、
９・・・掛止部、
１１・・・巻締部、
１２・・・胴部、
１３・・・天面
【図１】
2009241939.tif 000003
【図２】
2009241939.tif 000004
【図３】
2009241939.tif 000005
【図４】
2009241939.tif 000006
【図５】
2009241939.tif 000007
【図６】
2009241939.tif 000008
【図７】
2009241939.tif 000009
【図８】
2009241939.tif 000010
【図９】
2009241939.tif 000011
【図１０】
2009241939.tif 000012
【図１１】
2009241939.tif 000013
【図１２】
2009241939.tif 000014
【図１３】
2009241939.tif 000015